(57)【要約】      （修正有）【課題】災害、事故、急病等で本人の意識の無い状態の時、留め具で取り外し可能な赤地に白文字でＥＭＥＲＧＥＮＣＹと十字架が描かれたポーチと  それに収納されているタオル（ハンカチ）に記されている保持者本人の緊急連絡先、医療関連の詳細情報により  素早く医療機関に周知が出来、的確、迅速な処置が行えるための緊急用表示携帯品を提供する。【解決手段】留め具（カラビナ）１付き赤色の携帯用ポーチ２の表面に白い十字架とＥＭＥＲＧＥＮＣＹの白文字を配し、タオル（ハンカチ）タオル面に詳細な緊急連絡先ノート３ａ、医療関連情報３ｂ、応急手当方法３ｃを記すことで的確、迅速な処置に役立つ。【選択図】図１
0003178793.tif 000002
【実用新案登録請求の範囲】
【請求項１】
保持者本人の緊急用情報が記載された化学繊維の布と  その布を簡単に引き出す事の出来る緊急用を意味する白、又は赤の文字又は図形を記したポーチと、バッグや衣服の外側に上記ポーチを留め置く事の出来る留め具とを有する事を特徴とする緊急用表示携帯品。
【請求項２】
保持者本人の緊急連絡先記入欄が書かれたタオル（ハンカチ）と  そのタオル（ハンカチ）を自在に出し入れ出来る緊急用を意味する赤  又は  白のＥＭＥＲＧＥＮＣＹの文字のプリントされたポーチと、バッグや衣服の外側に上記ポーチを留め置く事の出来る留め具とを有する事を特徴とする緊急用表示携帯品。
【請求項３】
保持者本人の医療関連情報記入欄が書かれたタオル（ハンカチ）と  そのタオル（ハンカチ）を自在に出し入れ出来る緊急用を意味する赤  又は  白のＥＭＥＲＧＥＮＣＹの文字のプリントされたポーチと、バッグや衣服の外側に上記ポーチを留め置く事の出来る留め具とを有する事を特徴とする緊急用表示携帯品。
【請求項４】
応急手当方法がプリントされたタオル（ハンカチ）と  そのタオル（ハンカチ）を自在に出し入れ出来る緊急用を意味する赤  又は  白のＥＭＥＲＧＥＮＣＹの文字のプリントされたポーチと、バッグや衣服の外側に上記ポーチを留め置く事の出来る留め具とを有する事を特徴とする緊急用表示携帯品。
【請求項５】
上記の留め具がカラビナである事を特徴とする請求事項１、２に記載の緊急用表示携帯品。
【考案の詳細な説明】
【技術分野】
【０００１】本考案は、緊急時の対応策がプリントされた緊急連絡先等記入携帯ポーチ付きタオル（ハンカチ）に関するものである。
【技術背景】
【０００２】地震等の自然災害時のみならず、野山等のアウトドアや  通常の日常生活時で遭遇する事故や急病等の際、当事者の意識が無い、又は、話す事が出来ず  連絡先、医療関連事項が長時間不明である為、対応処置が遅れる事がある。又、周りの人が応急手当の方法を知らない事があり  その為に処置が遅れ人命に関わる事もある。救急用ハンカチとしては下記の文献が有る。
【先行技術文献】
【０００３】
【特許文献１】実用新案登録第３０９０９０２号  公報  実用新案登録第３０７７４５２号  公報  特開２００１−１５９００１
【考案の概要】
【考案が解決しようとする課題】事故や自然災害時には、負傷者もしくは  急病患者が意識がなかったり  動いたり、話す事が出来ない場合がある。その場合、上記文献のようなハンカチを持っていたとしても  それがポケットやバッグ内に等に収納されていると  自ら取り出せない場合や  それを保持している事も分からない場合が有る。例え、救急の対応をされたとしても  本人の緊急連絡先や医療情報が分から無い為  適切な処置が迅速に出来ない。詳細情報が書かれてなかったり  一般的応急手当の方法も書かれていない。従って、本考案のように  留め具（ナスカン）でバッグやベルトループに装着可能な赤い携帯ポーチ表面に白いＥＭＥＲＧＥＮＣＹの文字が有り  ポーチタオルに情報が書き込まれていると  救急隊や搬送先の病院が医療情報を発見、処置時間が早まる。又  応急手当の方法が書かれていると  応急手当を知らない人でも簡単な手当が可能となり、様々な処置が遅れたり  処置間違いを起こすという欠点を解決しようとするものである。
【課題を解決する為の手段】
【０００４】保持者本人の緊急用情報が記載された化学繊維の布と  その布を簡単に引き出す事の出来る緊急用を意味する白、又は  赤の緊急用を表示する文字  又は  図形を記したポーチと、バッグや衣服の外側に上記ポーチを留め置く事の出来る留め具とを有する事を特徴とする緊急用表示携帯品。
本考案は、留め具（カラビナ）付き赤色の携帯用ポーチ付きタオル（ハンカチ）ののポーチを白又は、赤く、表面に白いＥＭＥＲＧＥＮＣＹの白  又は、赤文字を配し、タオル面に緊急連絡先、医療関連情報、応急手当方法を記すことで問題を解決している。
【考案の効果】
本来の使用目的であるタオル（ハンカチ）としても利用出来る上、留め具（カラビナ）でバッグの外側やベルトループに装着する事で常時保持出来、赤いポーチとＥＭＥＲＧＥＮＣＹの文字で緊急連絡先、医療関連情報、応急手当方法を発見され易く詳細な情報により  緊急時、的確な情報連絡が出来、処置の迅速さが可能になり人命救助に役立つ。
【図面の簡単な説明】
【０００５】
【図１】緊急連絡先等記入携帯ポーチ付きタオル（ハンカチ）の実施例
【考案を実施するための形態】
【０００６】留め具Ａ（１）を有する片面が中の布を乾燥し易くする通気素材で出来たポーチ（２）は、その一部分が面ファスナーによって容易に開閉する。中に収納された布は、紙のように度重なる使用や  水に濡れても破れず、樹脂で加工されたものように堅くならず、樹脂の角で身体にケガ等を負う事も無く、コンパクトに収納出来、天然繊維に比較して軽く、濡れても乾きが早く、印刷も多色を鮮明に表現出来、バクテリアやカビ等を抑える加工も簡単な化学繊維で出来ている。一部分を解放し、中に収納された布（３ａ、３ｂ、３ｃは同一布上）を引き出すことで  本人の緊急用情報である緊急連絡先（３ａ）、医療関連情報（３ｂ）、及び  一般的応急手当の方法（３ｃ）が容易に入手する事が出来る。白  又は、赤の文字で緊急用を表示する文字と図形が表示されたポーチ（２）は、留め具（１）でバッグの外側やベルトループに引っ掻けて携帯する事が出来、発見され易い。又  ポーチ（２）と緊急用情報の描かれた布（３ａ、３ｂ、３ｃは同一布上）は  留め具Ｂ（４）によって容易に着脱可能である。
【符号の説明】１    留め具Ａ
２    ポーチ
３ａ  緊急連絡先ノート
３ｂ  関連医療機関情報
３ｃ  応急手当の方法
４    留め具Ｂ
【図１】
0003178793.tif 000003
【図２】
0003178793.tif 000004
【手続補正書】
【提出日】平成24年7月11日(2012.7.11)
【手続補正１】
【補正対象書類名】実用新案登録請求の範囲
【補正対象項目名】全文
【補正方法】変更
【補正の内容】
【実用新案登録請求の範囲】
【請求項１】
保持者本人の緊急用情報が記載された化学繊維の布と  その布を簡単に引き出す事の出来る緊急用を意味する白、又は赤の文字又は図形を記したポーチと、バッグや衣服の外側に上記ポーチを留め置く事の出来る留め具とを有する事を特徴とする緊急用表示携帯品。
【請求項２】
保持者本人の緊急連絡先記入欄が書かれたタオル又はハンカチとそのタオル又はハンカチを自在に出し入れ出来る緊急用を意味する赤  又は  白のＥＭＥＲＧＥＮＣＹの文字のプリントされたポーチと、バッグや衣服の外側に上記ポーチを留め置く事の出来る留め具とを有する事を特徴とする緊急用表示携帯品。
【請求項３】
保持者本人の医療関連情報記入欄が書かれたタオル又はハンカチとそのタオル又はハンカチを自在に出し入れ出来る緊急用を意味する赤  又は  白のＥＭＥＲＧＥＮＣＹの文字のプリントされたポーチと、バッグや衣服の外側に上記ポーチを留め置く事の出来る留め具とを有する事を特徴とする緊急用表示携帯品。
【請求項４】
応急手当方法がプリントされたタオル又はハンカチと  そのタオル又はハンカチを自在に出し入れ出来る緊急用を意味する赤  又は  白のＥＭＥＲＧＥＮＣＹの文字のプリントされたポーチと、バッグや衣服の外側に上記ポーチを留め置く事の出来る留め具とを有する事を特徴とする緊急用表示携帯品。
【請求項５】
上記の留め具がカラビナである事を特徴とする請求項１又は２に記載の緊急用表示携帯品。
【手続補正２】
【補正対象書類名】明細書
【補正対象項目名】０００５
【補正方法】変更
【補正の内容】
【０００５】
【図１】緊急連絡先等記入携帯ポーチ付きタオル又はハンカチの実施例
【図２】緊急連絡先等記入携帯ポーチ付きタオル又はハンカチの実施例